(57)【特許請求の範囲】
【請求項１】
室内機が室内熱交換器と送風ファンと空気吹き出し口に設けられた複数枚の左右羽根とを備え、前記左右羽根は前記空気吹き出し口の左右両側および中央に設けられ、かつ、連結桟によって連結された空気調和機であって、前記左右両側に位置する左右羽根の連結桟の外側の端部にそれぞれ駆動部を設け、前記左右両側に位置する左右羽根の連結桟の内側の端部に平ギヤを設けるとともに、前記中央に位置する左右羽根の連結桟に丸ギヤを設け、前記丸ギヤを前記左右両側に位置する左右羽根の前記平ギヤが挟みこむ構成とすることによって、前記左右両側に位置する左右羽根の連結桟と前記中央に位置する左右羽根の連結桟とを連係させ、前記左右両側の左右羽根の連結桟同士の駆動量の絶対値に差異がある場合のみ前記中央の左右羽根の方向が変更され、該方向の駆動量は前記差異の大小に応じて決められることを特徴とする空気調和機。
【発明の詳細な説明】
【技術分野】
【０００１】
本発明は、室内機からの吹き出し流を制御して居住空間の空調を快適にする空気調和機に関するものである。
【背景技術】
【０００２】
従来の風向制御機能を有する空気調和機は、吹き出し流の垂直方向の制御として、上下に可動する上下羽根、吹き出し流の水平方向の制御として、左右に可動する左右羽根を有しており、より細やかな風向制御を実現するために、上下羽根を３分割する方法などがある（例えば、特許文献１参照）。
【０００３】
上記特許文献では、左右羽根を４つのブロックに分け、左右方向の吹き分けを行うことで、部屋全体に広がる気流や、一箇所に集中する気流などを実現している。
【０００４】
図６は、特許文献１に記載された従来の空気調和機の室内機を示すものである。図６に示すように、左右に風向を変更する風向左右羽根２０ａおよび２０ｂが空気吹き出し口８の中心を境に両側に分かれ、さらに中央の風向左右羽根２０ａと、左右両側の左右風向左右羽根２０ｂとに分かれて設置されている。風向左右羽根２０ａおよび２０ｂはブロックごとに連結桟２１によって連結されており、左右風向左右羽根２０ｂは、略水平方向に回動自在に軸支された台座２２上に支持された構成となっている。
【特許文献１】特開２００１−１５３４３２号公報
【発明の開示】
【発明が解決しようとする課題】
【０００５】
しかしながら、前記従来の構成では、左右羽根の駆動を数ブロックに分け、吹き出し流のより細やかな制御を行うことが可能になるが、それに伴い、駆動部の増大化や複雑化を招き、コストが増大するという課題があった。
【０００６】
本発明は、前記従来の課題を解決するもので、吹き出し流の細やかな制御を行いつつ、駆動部品を最小限に抑え、安価で快適性を向上した空気調和機を提供することを目的とする。
【課題を解決するための手段】
【０００７】
本発明は前記従来の課題を解決するため、室内機が室内熱交換器と送風ファンと空気吹き出し口に設けられた複数枚の左右羽根とを備え、前記左右羽根は前記空気吹き出し口の左右両側および中央に設けられ、かつ、連結桟によって連結された空気調和機であって、前記左右両側に位置する左右羽根の連結桟の外側の端部に駆動部を設けるとともに、内側の端部には前記中央に位置する左右羽根の連結桟と連係して当該中央に位置する左右羽根の連結桟を駆動する構成としてある。
【０００８】
これによって左右羽根の３つのブロックを駆動する駆動部は２つで済むことから、構造を簡略化することができ、コスト削減が可能となる。
【発明の効果】
【０００９】
本発明の空気調和機は、より安価で快適性を向上した空気調和機を提供することができる。
【発明を実施するための最良の形態】
【００１０】
本発明の第１の発明は、室内機が室内熱交換器と送風ファンと空気吹き出し口に設けられた複数枚の左右羽根とを備え、前記左右羽根は前記空気吹き出し口の左右両側および中央に設けられ、かつ、連結桟によって連結された空気調和機であって、前記左右両側に位置する左右羽根の連結桟の外側の端部に駆動部を設けるとともに、内側の端部には前記中央に位置する左右羽根の連結桟と連係して当該中央に位置する左右羽根の連結桟を駆動する構成としたものである。
【００１１】
これにより、左右羽根を３つのブロックに分け、吹き出し流を制御することにより、部屋全体に広がる気流や一箇所に集中する気流などを創出し、より快適な空調空間を提供することができる。また、左右羽根の３つのブロックを駆動する駆動部は２つで済むことから、コストアップを抑えることが可能となり、より安価で快適性を向上した空気調和機を提供することができる。
【００１２】
また本発明の第２の発明は、左右両側に位置する左右羽根の連結桟の内側の端部に平ギヤを設けるとともに、中央に位置する左右羽根の連結桟に丸ギヤを設け、前記丸ギヤを前記左右両側に位置する左右羽根の前記平ギヤが挟みこむ構成とすることによって、左右両側に位置する左右羽根の連結桟と中央に位置する左右羽根の連結桟とを連係させた構成としてあり、第１の発明と同様の効果が期待できる。
【００１３】
以下本発明の実施の形態について図面を参照しながら説明する。なお、この実施の形態によって本発明が限定されるものではない。
【００１４】
（実施の形態１）
図１は、本発明の実施の形態１における空気調和機の室内機構成図、図２は図１の方向Ａから見たときの空気調和機の断面図である。
【００１５】
図１に示すように、室内機１はその下方に空気吹き出し口８が設けられ、前記空気の吹き出し口８の左右両側に、連結桟１１ａおよび連結桟１１ｂで連結された、左右方向に回転可能な軸を持つ複数枚の左右羽根１０ａおよび１０ｂが設けられている。また、空気吹き出し口８の中央にも連結桟１１ｃに連結された、左右方向に回転可能な軸を持つ中央の複数枚の左右羽根１０ｃが設けられている。
【００１６】
図２において、本発明の空気調和機は、室内機１の前面に前面パネル２が設置され、前記室内機１の内部には室内熱交換器３と送風ファン４が設けられている。また、室内機１の上部には空気の吸い込み口５が、下方には空気の吹き出し口８が設けられており、空気の吹き出し口８は、スタビライザ６およびリアガイダ７により形成されている。さらに空気の吹き出し口８の出口には、風向をコントロールするための上下羽根９および前述の複数枚の左右羽根１０が設けられている。
【００１７】
図１において、空気吹き出し口８には、連結桟（左）１１ａおよび、連結桟（右）１１ｂが、それぞれ駆動部（左）１２ａおよび駆動部（右）１２ｂに連結されている。連結桟（中央）１１ｃには、丸ギヤ（中央）１３ｃが備えられており、その丸ギヤ（中央）１３ｃは、連結桟（左）１１ａに備えられた平ギヤ（左）１３ａと、連結桟（右）１１ｂに備えられた平ギヤ（右）１３ｂによって挟みこまれており、これらのギヤによって連結桟どうしの連係機構２３を構成している。
【００１８】
なおホルダー１４は連結桟の一部であり、丸ギヤ（中央）１３ｃを保持するとともに、平ギヤ（左）１３ａと平ギヤ（右）１３ｂが丸ギヤ（中央）１３ｃと離れてしまわないようにガイドをしているものである。
【００１９】
以上のように構成された空気調和機について、以下その動作、作用を説明する。
【００２０】
図３は、空気調和機の複数羽根の動きによって風向を制御して、室内機から吹き出す空気の流れを中央に集中させたい場合のそれぞれの複数羽根の動作を示している。
【００２１】
この構成によれば、まず、室内機から吹き出す空気の流れを中央に集中させたい場合、駆動部（左）１２ａで、連結桟（左）１１ａを内側（中央方向）へ押し出す。左側の複数の左右羽根１０ａはそれに伴い回転し、吹き出し流を中央へ寄せる方向へ向けられる。右側も同様に、駆動部（右）１２ｂで、連結桟（右）１１ｂを内側（中央方向）へ押し出す。右側の複数の左右羽根１０ｂもそれに伴い回転し、吹き出し流を中央へ寄せる方向へ向けられる。
【００２２】
このとき、連結桟（左）１１ａに連結された平ギヤ（左）１３ａは、連結桟（中央）１１ｃに設けられた丸ギヤ（中央）１３ｃを回転するように力を伝達するが、連結桟（右）１１ｂに連結された平ギヤ（右）１３ｂも、連結桟（中央）１１ｃに設けられた丸ギヤ（中央）１３ｃを回転するように力を伝達するため、丸ギヤ（中央）１３ｃの移動は打ち消され、丸ギヤ（中央）１３ｃはその場から移動されない。
【００２３】
すなわち、中央の連結桟１１ｃに連結された複数の左右羽根１０ｃは、この場合一切駆動されないこととなる。
【００２４】
つまり、左側の左右羽根１０ａおよび右側の左右羽根１０ｂは、吹き出し流を中央へ寄せようとし、中央の左右羽根１０ｃは、吹き出し流を中央へそのまま流そうとすることになり、結果として、吹き出し流を中央に集中させる気流を創出する。
【００２５】
次に、部屋全体に広がる気流を創出する場合は、左右の駆動部をそれぞれ上記の逆方向へ駆動させることで実現することができる。図４は、空気調和機の風向を制御して、気流を部屋全体に広げたい場合のそれぞれの複数羽根の動作を示している。
【００２６】
図４に示すように、この場合、左側のブロックの左右羽根１０ａは、左側へ吹き出させる位置へ回転し、右側のブロックの左右羽根１０ｂは、右側へ吹き出させる位置へ回転する。中央のブロックの左右羽根１０ｃは、やはり、その位置を変えることなく、中央の吹き出し流は中央を流れ出すこととなる。結果として、部屋全体に広がる気流を創出することが可能となる。
【００２７】
その他の場合の例として、正面から左側へ広がる気流を実現したい場合、左側の吹き出し流は左方向へ、右側の吹き出し流は正面へ吹き出し流を吹き分ける必要がある。
【００２８】
図５は正面から左側へ広がる気流を実現する複数羽根の動作を示している。ここではまず、駆動部（左）１２ａで連結桟（左）１１ａを外側へ引き出す。左側の複数の左右羽根１０ａはそれに伴い回転し、吹き出し流を左側へ寄せる方向へ向けられる。このとき、駆動部（右）１２ｂは、停止したままにし、連結桟（右）１１ｂは、駆動しない。当然右側の左右羽根１０ｂは駆動されないので、吹き出し流は、正面方向の流れとなる。
【００２９】
また、連結桟（左）１１ａに設けられた平ギヤ（左）１３ａは、連結桟（中央）１１ｃに設けられた丸ギヤ（中央）１３ｃを回転するが、連結桟（右）１１ｂに設けられた平ギヤ（右）１３ｂは停止した状態なので、結果として丸ギヤ（中央）１３ｃは、平ギヤ（左）１３ａの移動量の半分の距離を移動することとなる。すなわち、連結桟（中央）１１ｃに連結された複数の左右羽根（中央）１０ｃは、左側の左右羽根１０ａの半分の角度だけ左側へ吹き出し流を寄せる方向へ回転する。
【００３０】
以上のようにして、左側の左右羽根１０ａで吹き出し流を左へ寄せ、右側の左右羽根１０ｂで正面に吹き出し流を流し、中央の左右羽根１０ｃで、やや左寄りの吹き出し流を創出するので、結果として、正面から左へ広がる気流を創出することとなる。
【００３１】
以上のように、本発明の空気調和機は、左右羽根を３つのブロックに分け、吹き出し流を制御することにより、部屋全体に広がる気流や一箇所に集中する気流などを創出し、より快適な空調空間を提供することができる。また、左右羽根の３つのブロックを駆動する駆動部は２つで済むことから、コストアップを抑えることが可能となり、より安価で快適性を向上した空気調和機を提供することとなる。
【００３２】
なお、上記実施の形態での説明では左右両側に位置する左右羽根の連結桟と中央に位置する左右羽根の連結桟との連係をギヤ機構によって連係させる場合で説明したが、左右両側に位置する左右羽根の連結桟と中央に位置する左右羽根の連結桟とを実施の形態で説明したような連係ができる機構であれば、連係機構２３はどのように構成しても良いものである。
【００３３】
また、左右両側に位置する左右羽根の連結桟の駆動部はこの例では、リンク機構を利用し、モーターの回転を連結桟に伝達する方法を採用しているが、左右方向に往復運動するモーターを利用して、連結桟を駆動してもかまわない。
【産業上の利用可能性】
【００３４】
以上のように、本発明にかかる空気調和機は、空気吹き出し流を安価な構成で吹き分ける必要のある送風機器において利用が可能である。
【図面の簡単な説明】
【００３５】
【図１】本発明の実施の形態１における空気調和機の構成図
【図２】図１の方向Ａから見たときの空気調和機の断面図
【図３】本発明の実施の形態１における、室内機から吹き出す空気の流れを中央に集中させたい場合の複数羽根の動作図
【図４】同実施の形態１における、部屋全体に広がる気流の場合のそれぞれの複数羽根の動作図
【図５】同実施の形態１における、正面から左側へ広がる気流を実現したい場合のそれぞれの複数羽根の動作図
【図６】従来の空気調和機の構成図
【符号の説明】
【００３６】
１  室内機
２  前面パネル
３  室内熱交換器
４  送風ファン
５  空気の吸い込み口
６  スタビライザ
７  リアガイダ
８  空気の吹き出し口
９  上下羽根
１０ａ  左右羽根（左）
１０ｂ  左右羽根（右）
１０ｃ  左右羽根（中央）
１１ａ  連結桟（左）
１１ｂ  連結桟（右）
１１ｃ  連結桟（中央）
１２ａ  駆動部（左）
１２ｂ  駆動部（右）
１３ａ  平ギヤ（左）
１３ｂ  平ギヤ（右）
１３ｃ  丸ギヤ（中央）
１４  ホルダー
２０ａ  風向左右羽根
２０ｂ  左右風向左右羽根
２１  連結桟
２２  風向左右羽根台座
２３  連係機構
【図１】
0005277737.tif 000002
【図２】
0005277737.tif 000003
【図３】
0005277737.tif 000004
【図４】
0005277737.tif 000005
【図５】
0005277737.tif 000006
【図６】
0005277737.tif 000007